(57)【要約】【課題】  デジタルカメラとしての特殊機能を簡単な操作で利用できるカメラ付き携帯端末及びこれを用いた特殊撮影方法を提供する。【解決手段】  ０から９までの各整数に関連づけられた数字キー１５と、撮像素子に入光した光に応じた画像データを生成する撮像部１２とを有するカメラ付き携帯端末であって、撮像部１２が撮像可能な状態で数字キー１５のいずれかが押下された場合には、制御部１１は、押下された数字キー１５に関連づけられた数値に応じた時間をタイマ１３によって計測し、押下された数字キー１５に関連づけられた数値に対応する時間が経過した後に、撮像部１２が画像データを生成する。【選択図】  図１
2005121842.tif 000002
【特許請求の範囲】
【請求項１】
０から９までの各整数に関連づけられた数字キーと、
撮像素子に入光した光に応じた画像データを生成する撮像手段と、
ユーザに設定された設定値に基づいた所定の処理を、前記撮像手段が画像データを生成する際に実行する特殊撮影手段とを有するカメラ付き携帯端末であって、
前記撮像手段が撮像可能な状態で前記数字キーのいずれかが押下された場合には、前記特殊撮影手段が、前記押下された数字キーに関連づけられた数値に基づいて前記所定の処理を実行することを特徴とするカメラ付き携帯端末。
【請求項２】
前記所定の処理は、前記撮像手段の撮像タイミングを前記設定値に応じた時間遅延させる処理であることを特徴とする請求項１記載のカメラ付き携帯端末。
【請求項３】
前記所定の処理は、前記いずれかの数字キーが押下されてから前記設定値に応じた時間を計測し、該設定値に応じた時間が経過した時点で前記撮像手段に画像データを生成させる処理であることを特徴とする請求項２記載のカメラ付き携帯端末。
【請求項４】
前記所定の処理は、前記設定値に応じた数だけ連続して画像データを生成する処理であることを特徴とする請求項１記載のカメラ付き携帯端末。
【請求項５】
前記所定の処理は、前記撮像手段に画像データを生成させると共に前記いずれかの数字キーが押下されてから前記撮像手段が画像データを生成した回数をカウントし、カウントした数が前記設定値に応じた数に達するまで前記撮像手段に繰り返し画像データの生成を行わせる処理であることを特徴とする請求項４記載のカメラ付き携帯端末。
【請求項６】
携帯電話網を介して無線通信を行う機能を備えることを特徴とする請求項１から５のいずれか１項記載のカメラ付き携帯端末。
【請求項７】
０から９までの各整数に関連づけられた数字キーと、
撮像素子に入光した光に応じた画像データを生成する撮像手段と、
ユーザに設定された設定値に基づいた所定の処理を、前記撮像手段が画像データを生成する際に実行する特殊撮影手段とを有するカメラ付き携帯端末を用いた特殊撮影方法であって、
前記撮像手段が撮像可能な状態で押下されたいずれかの前記数字キーに関連づけられた数値を前記設定値として、前記特殊撮影手段に前記所定の処理を実行させることを特徴とするカメラ付き携帯端末を用いた特殊撮影方法。
【請求項８】
前記所定の処理は、前記撮像手段の撮像タイミングを前記設定値に応じた時間遅延させる処理であることを特徴とする請求項７記載のカメラ付き携帯端末を用いた特殊撮影方法。
【請求項９】
前記所定の処理は、前記いずれかの数字キーが押下されてから前記設定値に応じた時間を計測し、該設定値に応じた時間が経過した時点で前記撮像手段に画像データを生成させる処理であることを特徴とする請求項８記載のカメラ付き携帯端末を用いた特殊撮影方法。
【請求項１０】
前記所定の処理は、前記設定値の分連続して画像データを生成する処理であることを特徴とする請求項７記載のカメラ付き携帯端末を用いた特殊撮影方法。
【請求項１１】
前記所定の処理は、前記撮像手段に画像データを生成させると共に前記いずれかの数字キーが押下されてから前記撮像手段が画像データを生成した回数をカウントし、カウントした数が前記設定値に応じた数に達するまで前記撮像手段に繰り返し画像データの生成を行わせる処理であることを特徴とする請求項１０記載のカメラ付き携帯端末を用いた特殊撮影方法。
【発明の詳細な説明】
【技術分野】
【０００１】
本発明は、デジタルカメラを内蔵した携帯端末に関し、特に、ユーザから指定された数値に応じた処理を撮影時に行えるカメラ付き携帯端末に関する。
【背景技術】
【０００２】
近年、デジタルカメラを内蔵した携帯端末、とりわけカメラ付き携帯電話端末が急速に普及している。
【０００３】
現在普及しているカメラ付き携帯端末は、あくまでも携帯端末にデジタルカメラとしての機能を付与したものであるから、端末を設計する上では携帯端末本来の機能を実現するための操作性がデジタルカメラとしての操作性よりも重視されている。例えば、カメラ付き携帯電話端末の場合は、携帯電話端末としての操作性、すなわち携帯電話網を介して無線通信を行うための操作性がデジタルカメラとしての操作性よりも重視されて設計されることとなる。このため、カメラ付き携帯端末の場合には、デジタルカメラとしての操作性は、必ずしもユーザにとって満足できるものとはいえないのが現状である。
【０００４】
例えば、カメラ付き携帯端末にてセルフタイマ機能を用いて撮影する場合、ユーザはカメラ起動中にユーザ設定画面を表示させて、セルフタイマを有効にする操作、セルフタイマの作動時間を設定する操作などを行ってから撮影する必要があり、操作に手間がかかる。
【０００５】
また、複数コマ分の画像を連続して撮影しようとする場合には、ユーザは、カメラ起動中にユーザ設定画面を表示させて、連写撮影機能を有効にする操作、連続して撮影する枚数を設定する操作などを行ってから撮影する必要があり、この場合にも操作には手間がかかる。
【０００６】
このように、従来のカメラ付き携帯端末は、デジタルカメラとしての特殊機能（セルフタイマや連写撮影など）を利用するための操作が複雑であるため、デジタルカメラとしての特殊機能をユーザが利用しようとしても、実際にその機能を利用できる状態となるまでに時間を要する。
【０００７】
このため、デジタルカメラとしての特殊機能を利用して被写体を撮影しようとしたにも関わらず、特殊機能を利用可能な状態となるまでの間に被写体を撮像するのに好適な機会を逃してしまう恐れがあった。また、好適な撮像機会を逃さないために手間のかかる入力操作をユーザが急いで行うと、誤操作をしてしまう恐れがある。
【０００８】
カメラ付き携帯端末のデジタルカメラとしての操作性を向上させることに関する従来技術としては、特許文献１に開示される「携帯端末及びプログラム」がある。
特許文献１に開示される発明は、タッチセンサから人体が離れると経時回路がタイマのカウントを開始し、タイムアップすると、カメラが撮像動作を開始するものである。
【特許文献１】特開２００２−２０４３８６号公報
【発明の開示】
【発明が解決しようとする課題】
【０００９】
しかし、特許文献１に開示される発明は、従来のカメラ付き携帯端末と同様に、タイマ時間などをユーザが設定しなければならない。
【００１０】
このように、従来のカメラ付き携帯端末は、デジタルカメラとしての特殊機能を利用するための操作が複雑であったため、特殊機能を利用可能な状態となるまでの間に被写体を撮像するのに好適な機会を逃してしまったり、ユーザが誤操作を起こしたりする可能性があった。
【００１１】
本発明は係る問題に鑑みて為されたものであり、デジタルカメラとしての特殊機能を簡単な操作で利用できるカメラ付き携帯端末及びこれを用いた特殊撮影方法を提供することを目的とする。
【課題を解決するための手段】
【００１２】
上記目的を達成するため、本発明は、第１の態様として、０から９までの各整数に関連づけられた数字キーと、撮像素子に入光した光に応じた画像データを生成する撮像手段と、ユーザに設定された設定値に基づいた所定の処理を、撮像手段が画像データを生成する際に実行する特殊撮影手段とを有するカメラ付き携帯端末であって、撮像手段が撮像可能な状態で数字キーのいずれかが押下された場合には、特殊撮影手段が、押下された数字キーに関連づけられた数値に基づいて所定の処理を実行することを特徴とするカメラ付き携帯端末を提供するものである。
【００１３】
上記本発明の第１の態様においては、所定の処理は、撮像手段の撮像タイミングを設定値に応じた時間遅延させる処理であることが好ましく、これに加えて、所定の処理は、いずれかの数字キーが押下されてから設定値に応じた時間を計測し、該設定値に応じた時間が経過した時点で撮像手段に画像データを生成させる処理であることがより好ましい。又は、所定の処理は、設定値の分連続して画像データを生成する処理であることが好ましく、これに加えて、所定の処理は、撮像手段に画像データを生成させると共にいずれかの数字キーが押下されてから撮像手段が画像データを生成した回数をカウントし、カウントした数が設定値に応じた数に達するまで撮像手段に繰り返し画像データの生成を行わせる処理であることがより好ましい。
【００１４】
上記本発明の第１の態様のいずれの構成においても、携帯電話網を介して無線通信を行う機能を備えることが好ましい。
【００１５】
また、上記目的を達成するため、本発明は、第２の態様として、０から９までの各整数に関連づけられた数字キーと、撮像素子に入光した光に応じた画像データを生成する撮像手段と、ユーザに設定された設定値に基づいた所定の処理を、撮像手段が画像データを生成する際に実行する特殊撮影手段とを有するカメラ付き携帯端末を用いた特殊撮影方法であって、撮像手段が撮像可能な状態で押下されたいずれかの数字キーに関連づけられた数値を設定値として、特殊撮影手段に所定の処理を実行させることを特徴とするカメラ付き携帯端末を用いた特殊撮影方法を提供するものである。
【００１６】
上記本発明の第２の態様においては、所定の処理は、撮像手段の撮像タイミングを設定値に応じた時間遅延させる処理であることが好ましく、これに加えて、いずれかの数字キーが押下されてから設定値に応じた時間を計測し、該設定値に応じた時間が経過した時点で撮像手段に画像データを生成させる処理であることがより好ましい。又は、所定の処理は、設定値の分連続して画像データを生成する処理であることが好ましく、これに加えて、所定の処理は、撮像手段に画像データを生成させると共にいずれかの数字キーが押下されてから撮像手段が画像データを生成した回数をカウントし、カウントした数が設定値に応じた数に達するまで撮像手段に繰り返し画像データの生成を行わせる処理であることがより好ましい。
【発明の効果】
【００１７】
本発明によれば、デジタルカメラとしての特殊機能を簡単な操作で利用できるカメラ付き携帯端末を提供できる。
【発明を実施するための最良の形態】
【００１８】
〔第１の実施形態〕
本発明を好適に実施した第１の実施形態について説明する。図１に、本実施形態に係るカメラ付き携帯電話端末を示す。携帯電話端末１０は、制御部１１、撮像部１２、タイマ１３、ＬＣＤ１４、数字キー１５及び無線通信部１６を有する。
【００１９】
制御部１１は、携帯電話端末１０の各部の動作を制御する実質的なコンピュータである。撮像部１２は、ＣＣＤやＣＭＯＳといった撮像素子を備えており、撮像素子に入光した画像光に応じた画像データを生成する。タイマ１３は、制御部１１からの要求に応じて任意の時間を測定し、タイムアウトした際にトリガ信号を発生させる。ＬＣＤ１４は、制御部１０１からの命令に応じて情報を表示する。数字キー１５は。ユーザが主に電話番号を入力するための入力キーであり「０」〜「９」の十種類を備える。無線通信部１６は、携帯電話網を介して通信を行うための機能部であり、電気信号から無線信号への変調や無線信号から電気信号への復調などを行う。すなわち、無線通信部１６は、携帯電話端末としての機能を実現するための機能部である。
【００２０】
セルフタイマ機能を使用する際の携帯電話端末１０の動作について説明する。図２に、セルフタイマ機能を使用する際の携帯電話端末１０の動作の流れを示す。また、図３に、セルフタイマ機能を使用して撮影する際にＬＣＤ１４に表示される画面の一例を示す。
ユーザは、セルフタイマ機能を利用して被写体を撮影するのに先だって、携帯電話端末１０を撮影モード（デジタルカメラ機能による撮影が可能な状態）としておく。この状態では、図３（ａ）に示すように、携帯電話端末１０のＬＣＤ１４には、レンズを通して撮像素子に入射する光に応じた画像が表示される。
【００２１】
この状態で「０」〜「９」のいずれかの数字キー１５がユーザによって押下されると（ステップＳ１０１／Ｙｅｓ）、制御部１１は、押下されたキーの数字に対応する秒数分の測定をタイマ１３に要求する（ステップＳ１０２）。ただし、「０」のキーが押下された場合には、制御部１１はタイマ１３に１０秒間の測定を要求する。また、制御部１１は、図３（ｂ）に示すように、アイコン１４１及びメッセージ１４２をＬＣＤ１４に表示させ、セルフタイマ機能を使用中であることをユーザに提示する。
なお、図示した例では、アイコン１４１は、撮影までの残り時間を示している。
【００２２】
タイマ１３は、制御部１１からの要求に応じた秒数を測定し終えると（ステップＳ１０３／Ｙｅｓ）、トリガ信号を発生させ撮像部１２へ送信する。撮像部１２は、タイマ１３からのトリガ信号を受けるとシャッターボタンが押下された場合と同様の撮像処理を行う（ステップＳ１０４）。すなわち、タイマ１３が制御部１１から要求された秒数分を計時し終えた時に図３（ｃ）に示す画面が表示されている場合、撮像部１２は、フレーム１４３内に表示されている部分を撮像して画像データを生成する。
【００２３】
このように、本実施形態に係るカメラ付き携帯電話端末は、撮影モードの時に数字キーを押下するだけで、セルフタイマというデジタルカメラとしての特殊機能を利用できる。換言すると、セルフタイマ機能のＯＮ／ＯＦＦや作動時間の変更と行った設定を行う必要はなく、カメラ起動中に数字ボタンを入力するのみという簡単な操作によって、１〜１０秒の任意の秒数でセルフタイマを作動させ、被写体を撮影できる。
【００２４】
〔第２の実施形態〕
本発明を好適に実施した第２の実施形態について説明する。図４に、本実施形態に係るカメラ付き携帯電話端末を示す。携帯電話端末１０は、第１の実施形態のものとほぼ同様であるが、タイマ１３の代わりにカウンタ１７を有する。
【００２５】
カウンタ１７は、制御部１１からの命令に応じた数まで計数を行う。
【００２６】
連写撮影機能を使用する際の携帯電話端末１０の動作について説明する。図５に、連写撮影機能を使用する際の携帯電話端末１０の動作の流れを示す。
ユーザは、連写撮影機能を利用して被写体を撮影するのに先だって、携帯電話端末１０を撮影モード（デジタルカメラ機能による撮影が可能な状態）としておく。この状態では、携帯電話端末１０のＬＣＤ１４には、レンズを通して撮像素子に入射する光に応じた画像が表示される。
【００２７】
この状態で「０」〜「９」のいずれかの数字キー１５がユーザによって押下されると（ステップＳ２０１／Ｙｅｓ）、制御部１１は、押下されたキーの数字に対応する数までの計数をカウンタ１７に要求する（ステップＳ２０２）。ただし、「０」のキーが押下された場合には、制御部１１はカウンタ１７に１０回のカウントを要求する。なお、カウンタ１３のカウント値の初期値は０であり、制御部からの要求を受けると初期値にリセットされる。
【００２８】
ユーザによってシャッターボタンが押下されると、制御部１１は撮像部１２へトリガ信号を送出する。撮像部１２は、制御部１１からのトリガ信号に応じて撮像処理を開始して画像データを生成する（ステップＳ２０３）。
【００２９】
撮像部１２は、画像データを生成し終えるとカウンタ制御信号をカウンタ１３へ送出する。カウンタ１３は、撮像部１２からのカウンタ制御信号に応じてカウント値を１インクリメントする（ステップＳ２０４）。そして、カウント値をインクリメントしたことを制御部１１へ通知する。
【００３０】
制御部１１は、カウンタ１３がカウント値をインクリメントしたことを通知されると、カウンタ１３のカウント値を参照する。カウンタ１３のカウント値がユーザによって押下された数字キー１５に対応する数に達していれば（ステップＳ２０５／Ｙｅｓ）、制御部１１は処理を終了する。
一方、カウンタ１３のカウント値がユーザによって押下された数字キー１５に対応する数未満であれば（ステップＳ２０５／Ｎｏ）、制御部１１がトリガ信号を再び撮像部１２へ送出し、携帯電話端末１０は、カウンタ１３のカウント値がユーザに押下された数字キーに対応する数に達するまで上記の処理を繰り返し実行する。
【００３１】
このように、本実施形態に係るカメラ付き携帯電話端末は、撮影モードの時に数字キーを押下するだけで、連写撮影というデジタルカメラとしての特殊機能を使用できる。換言すると、連写撮影機能のＯＮ／ＯＦＦや連写枚数の変更と行った設定を行う必要はなく、カメラ起動中に数字ボタンを入力するのみという簡単な操作によって、１〜１０枚の任意の枚数連続して被写体を撮影できる。
【００３２】
なお、上記各実施形態は、本発明の好適な実施の一例であり、本発明はこれらに限定されることはない。
例えば、上記実施形態においては、「０」〜「９」の数字キーを１回押下することで数値を指定する場合について説明したが、数字キーを２回押下することによって数値を指定するようにしても良い。この場合には、最初に「０」を、２回目に「１」〜「９」の数字キーを押下することによって一桁の数値を指定でき、「０」を２回続けて押下することで１００という数値を指定できる。
また、デジタルカメラとしての特殊機能としてセルフタイマ及び連写撮影を例にあげたが、本発明はこれらに限定されることはなく、撮影時に数値を指定して行う設定（重ね取り枚数の設定など）であれば、どのようなものにも適用可能である。
また、上記各実施形態では、携帯端末の一例として携帯電話端末を例に説明を行ったが、携帯電話網を介して無線通信を行う機能を備えない携帯端末（例えば、携帯情報端末（ＰＤＡ））であっても良い。
このように、本発明は様々な変形が可能である。
【図面の簡単な説明】
【００３３】
【図１】本発明を好適に実施した第１の実施形態に係る携帯電話端末の構成を示す図である。
【図２】第１の実施形態に係るカメラ付き携帯電話端末の動作の流れを示す図である。
【図３】セルフタイマ機能を使用しての撮影時にＬＣＤに表示される画面の一例を示す図である。
【図４】本発明を好適に実施した第２の実施形態に係る携帯電話端末の構成を示す図である。
【図５】第２の実施形態に係る携帯電話端末の動作の流れを示す図である。
【符号の説明】
【００３４】
１０    携帯電話端末
１１    制御部
１２    撮像部
１３    タイマ
１４    ＬＣＤ
１５    数字キー
１６    無線通信部
１７    カウンタ
【図１】
2005121842.tif 000003
【図２】
2005121842.tif 000004
【図３】
2005121842.tif 000005
【図４】
2005121842.tif 000006
【図５】
2005121842.tif 000007